(57)【特許請求の範囲】
【請求項１】
長手方向に延び、複数の車輪（１４、１６）を一列に配置したフレーム（１２）を含み、前記車輪（１４、１６）は軸（１５、１７）に取り付けられ、前記車輪（１４、１６）のうちの１つ（１４）は、最前位置ステアリングホイールであるインラインスケートボード（１０）において、
前記最前位置ステアリングホイール（１４）の軸（１５）がフォーク部材（３０）に連結され、前記フォーク部材（３０）は、前記軸（１５）の前方かつ下方で、スケートボード設置面に対して前方に傾斜した旋回軸（３２）を介して、前記フレーム（１２）に旋回可能に連結されていることを特徴とするスケートボード。
【請求項２】
前記スケートボードが、それぞれの軸（１５、１７）に取り付けられている２つの車輪（１４、１６）を有することを特徴とする請求項１に記載のスケートボード。
【請求項３】
後輪（１６）は前記フレーム（１２）に旋回不可能に取付けられていることを特徴とする請求項２に記載のスケートボード。
【請求項４】
前記フォーク部材（３０）が、前記最前位置ステアリングホイール（１４）の両側で前記軸（１５）に連結され、前記最前位置ステアリングホイール（１４）の両側で前方へ延び、前記最前位置ステアリングホイール（１４）の前部の周りに橋絡部分を有し、前記橋絡部分は、前記フレーム（１２）への旋回連結部（３２）を含んでいることを特徴とする請求項１に記載のスケートボード。
【請求項５】
前記フォーク部材（３０）が、水平方向から１０〜４５度の範囲内の角度で配置されていることを特徴とする請求項４に記載のスケートボード。
【請求項６】
前記フォーク部材（３０）が、水平方向から２０〜２５度の範囲内の角度で配置されていることを特徴とする請求項５に記載のスケートボード。
【請求項７】
前記フレーム（１２）が、２つの長尺部材（１８）を含み、前記長尺部材（１８）は、前記最前位置ステアリングホイール（１４）の横方向への旋回運動を可能にするために、前記最前位置ステアリングホイール（１４）に対し広く離間して隣接配置されていることを特徴とする請求項３〜６のいずれか１項に記載のスケートボード。
【請求項８】
デッキ（２０）が、ライダーの足台を提供するために、長尺部材（１８）により支持されていることを特徴とする請求項７に記載のスケートボード。
【請求項９】
ライダーが前記スケートボード（１０）から降りるかまたは落下する際、前記車輪（１４，１６）のうちの１つまたはそれ以上と係合することによって前記車輪（１４、１６）の回転を阻止するブレーキ手段（５０）が設けられ、前記ブレーキ手段（５０）は、ライダーが前記スケートボード（１０）に乗った状態では、ライダーの足により不作動となるように構成されていることを特徴とする請求項１〜８のいずれか１項に記載のスケートボード。
【請求項１０】
前記ブレーキ手段（５０）は、ライダーが前記スケートボード（１０）に乗っていない状態では１つの車輪（１４、１６）に当接し、ライダーが前記スケートボード（１０）に乗っている状態ではライダーの足からの圧力で前記車輪（１４、１６）から離反するように配置されている部材（５２）を含むことを特徴とする請求項９に記載のスケートボード。
【請求項１１】
前記各車輪（１４、１６）が、少なくとも３００ｍｍの直径を有することを特徴とする請求項１〜１０のいずれか１項に記載のスケートボード。
【請求項１２】
前記各車輪（１４、１６）が、４００〜６００ｍｍの範囲内の直径を有することを特徴とする請求項１１に記載のスケートボード。
【請求項１３】
前記スケートボード（１０）が、原動機により駆動されることを特徴とする請求項１〜１２のいずれか１項に記載のスケートボード。
【発明の詳細な説明】
【０００１】
【発明の簡単な説明】
本発明は、スケートボードに関する。
【０００２】
【発明の分野】
従来のスケートボードでは、全部で４つの車輪が配置され、前部に一対が配置され、後部に一対が配置されている。すべての車輪は、非常に小さい直径を有し、これにより、デッキの下方にはまり込むことが可能となり、その際、各対は、傾斜ピボット上に取付けられている単一軸を有し、これにより、操縦はライダーが体重を内側車輪の側へ移行すると、内側車輪が互いの方向へ近づき、外側車輪がボードの体重がかかっていない側で互いから離れるようにして操縦が可能となる。このようにして、操縦は、同時に４つすべての車輪により行われる。
【０００３】
従来のスケートボードの設計上の欠点は、小さい車輪が、表面の不規則性に対して非常に敏感であり、これにより、従来のスケートボードは、非常に滑らかな面以外の上で使用するには実用的でなく、危険である。大型の車輪を有するスケートボードを形成することにより、このような問題を克服する試みがなされた。しかし、大型の車輪により、デッキが高くなる(ひいては不安定性が生じる)か、または、構造が幅広となり(この場合、大型の車輪は、デッキのエッジを越えて延び)、これにより、スケートボードは、扱い難く、動作が鈍くなる。従来のスケートボードのレイアウトは、従って、発端以来、比較的滑らかな表面に制限されている。
【０００４】
従来のスケートボードにおける制限から離れた試みにおいて、新規のデザインが、提案された。１つのこのようなデザインは、Barachetにより形成され、Barachetは、二輪スケートボードを提案し、この場合、双方の車輪は、スクーターのように、１本の中心軸線に沿って位置合せされている(インライン)。このデザインは、自動操縦前輪、固定後輪および2部分形デッキを含み、デッキの第1の部分は、2つの車輪の間の前部脚部のためにあり、第２の部分は、後輪の後ろの後部脚部のためにある。
【０００５】
Ｂａｒａｃｈｅｔのデザインは、フォークにより保持され、ピボット旋回点は、前輪の中央位置の前に位置する。スケートボードの1方の側へ傾けることにより、前部ピボットにより、前輪はしかるべき方向に方向転換することが可能となり、これにより、スケートボードが操縦される。前輪が方向転換する間、これらの装置は、非常に不安定であり、乗るのが非常に困難であることが分かった。
【０００６】
この不安定性の理由は、前輪のフォークのピボット旋回点が、前輪の軸より高いことにあることが分かった。これにより、ライダーの体重が前輪の中心点より上に加えられ、これにより、不安定性が大きくなり、ひいては、本装置は、実用的でなく、従って商業的に成り立たない。
【０００７】
さらに、ピボット旋回点が、前輪の軸より高く位置することに起因して、前輪が方向転換する際に曲りが回動して描く円弧が、地面に対して凹状となることが分かった。これにより、ライダーの体重がスケートボードに加えられると、外側末端へ前輪を方向転換させようとする、非常に望ましくない効果が生じる。
【０００８】
Barachetの変形は、Kroherにより開発されたGerman Grassboardsである。Kroherは、Barachetのデザインにただ2つの変化を施した、すなわち、前輪のピボット旋回点が、軸と水平方向で一列整列していることと、単一後輪が、互いに短い間隔を置いて並列する2つの車輪により置換されていることとである。二輪の後輪により単一後輪を置換して、スケートボードにある程度の安定性を与えて、スケートボードをより乗り易くしようと試みたことは明白である。しかし、二輪の後輪により横方向安定性を得ることを求めたので、インライン二輪式スケートボードにより理論的には提供される、滑らかに移行する側への方向転換特性が、失われた。
【０００９】
本発明は、前述の問題のすべてまたは少なくともいくつかのを軽減することにある。
【００１０】
本発明の一態様では、一列整列された車輪を備える、長手方向に延びるフレームを含むインラインスケートボードであって、車輪が軸上に取付けられ、車輪のうちの１つは、最前位置ステアリングホイールであるインラインスケートボードにおいて、フレームが、前記最前位置ステアリングホイールの下方で前方の個所で最前位置ステアリングホイールに旋回可能に接続されていることを特徴とするインラインスケートボードが設けられる。
【００１１】
好ましくは、フォーク部材は、最前位置ステアリングホイールの軸に接続され、フレームの一端は、各車輪の軸の下方の個所でフォーク部材に旋回可能に接続されている。
【００１２】
より好ましくは、フレームの前端は、最前位置ステアリングホイールの軸の前方で下方の個所でフォーク部材の前端に旋回可能に接続されている。
【００１３】
前部フォークピボット旋回点を、最前位置ステアリングホイール軸より低く(そして軸の前方に)位置させると、最前位置ステアリングホイールがその方向転換角度にわたり回動すると最前位置ステアリングホイールにより凸状円弧が形成されることに起因して、安定性が得られる。従って、ライダーの体重を印加する公知となり、最前位置ステアリングホイールが自動的にセンタリングされ、真直ぐにされ、安定性、操作性を引き起こすことが分かった。
【００１４】
好ましくは、ピボット旋回点は、ピボット旋回点が、起伏がある領域内で地面に当るほどには低くされない。一般的に、ピボット旋回点は、好ましくないクリアランスの問題を生じることなしに、実際的であるかぎりできるだけ低く保持される。しかし、ピボット旋回点が、地面からより高く上昇されるにつれて、本発明のスケートボードの安定性が低まり、制御がより困難になる。従って、安定性と最低地上高との間の妥協が、行われなければならない。一般的に、フォーク部材は、好ましくは、水平方向から１０〜４５゜、好ましくは２０〜２５゜の領域内の角度に配置される。フォーク部材角度自身は、フォークのピボットの正確な中心を介して、車軸から地面まで描かれる仮想線である。ピボットが描く円弧角は、仮想線に対して垂直であり、ピボットの軸に沿って描かれる仮想線である。
【００１５】
本発明では、例えば直径が少なくとも３００ｍｍなどの比較的大きい車輪サイズの使用により、本システムの安定性が高まることも分かった。実際上、好ましい車輪直径は、通常、４００〜６００ｍｍの領域内にあることが分かった。
【００１６】
本発明のスケートボードにより提供される安定性により、車輪位置合せばねまたは戻しばねで、乗る際に助力することは不要となる。前輪は、(ライダーの体重がスケートボードに加えられない場合には)ジャンプなどを行うと、中心から回動して離れるにもかかわらず、体重が加えられると、ただちに、前輪は、自動的に真直ぐに安定化される。さらに、フォーク部材が、フォーク部材に接続されている車輪と組み合せて、非常に自由に方向転換することが可能であることが分かった。
【００１７】
従って、ピボットが常に自由に回転することが可能であることを保証するために、ピボット機構内に１つ以上の高品質密封ローラベアリングを使用することが好ましい。密封深溝ベアリングは、適切なタイプの良好な例を提供する、何故ならばこれらの深溝ベアリングは、いくつかの方向からの大きい負荷に耐え、異物の侵入を阻止するように設計されているからである。
【００１８】
平らなデッキを有する、直線状側面のフレームを使用するより、(充分な前輪チューニングを可能にするために)前部へ向かって最も大きく外側へフレームを湾曲させ、(地面に最も近い最低位置領域であることもある)中央部へ向かって内側へ湾曲させ、再び、後部足位置のために適当な幅を提供するために後部へ向かって僅かに外側へ湾曲させるほうが好ましいことも分かった。さらに、最広幅点は、通常、最高位置点であり、これにより、方向転換するときは充分な最低地上高が提供され、最狭幅点は、地面に最も近いこともある。このタイプの複雑な３次元曲線は、構造的により優れたフレームを提供し、美的により快いフレームを提供する。
【００１９】
代替的に、ピボットから上方へ延び、近接の車輪の直接上でピボットの周りを延び、下方へ向かって延びて、デッキのために適切な地面高さへ到達し、後部へ向かって延びて、２つのセクションに分割して、後輪を支持する単一フレーム管を有することも可能である。
【００２０】
別の付属装置として、ブレーキが組込まれ、後輪で作用するブレーキパッドおよびアクチュエータが典型的なスクーターのファッションで取付けられる。しかし、ライダーは、ブレーキレバーを片方の手に保持することが考慮され、この場合、ブレーキレバーは、ケーブルを介してブレーキパッドに可撓性に取付けられている。このようにして、ライダーは、依然として、サーフィン／スノーボードの姿勢で立つことが可能であり、一方、可撓性ケーブルに起因してブレーキレバーを保持する手を自由に動かすことが可能である。これにより得られる付加的な利点は、本発明のスケートボードが、注意していない場合に暴走することを阻止し、ライダーが、厳しい制動の下に後輪を意図的に滑らせ、軽いないし中程度の制動での速度制御で、険しい坂を一直線に下降することを可能にすることにある。
【００２１】
別の２つの代替実施例では、本発明のスケートボードが、降車後、坂を下降して離れることを阻止することが可能である。第１の代替実施例は、サーフィングにおけるサーフボード乗りにより使用されるものに類似のリストストラップである。リストストラップは、エラストマーコードのコイルから成り、面ファスナのアタッチメントが、各端部に取付けられている(１本のアタッチメントは、リストのためであり、他方のアタッチメントは、スケートボードのフレームのためである)。
【００２２】
他方の代替実施例は、より合目的的に形成されている、後足により作動されるブレーキである。この例では、後足が位置するデッキを通過して上昇する、ばねによりバイアス変位されているボタンが設けられる。ばねによりバイアス変位されているボタンの下方に、ボタンに取付けられている底部セクションを有するプレートと、後輪に接触する上部セクションとを有するプレートが設けられている。後足による圧力が、(乗っていない場合に)ボタンに加えられない場合、上部セクションは、後輪に加えられる圧力を維持する。ライダーの後足が、デッキの後部(およびボタン上)に置かれると、プレートの上部セクションは、その圧力を、車輪から解放する。これにより、後輪は、ライダーの後足が、スケートボード上の適所に位置すると、ただちに、自由に方向転換することが可能となるが、ライダーが降車すると、ブレーキが自動的に作動され、スケートボードは停止する。
【００２３】
このブレーキデザインは、ボタンが、所要の程度の制動力を適用するために足の下方で僅かに上昇することを可能にするために、単に後足を僅かに角度を持たせることにより乗る間、漸進形ブレーキとしても使用されることが可能である。
【００２４】
使用されることが可能である別の１つの付属装置は、本発明のスケートボードに乗る間、足がよりぴたりとはまることを提供するフットストラップである。フットストラップは、アングル形可撓性プレートから成り、プレートは、フレームから上方へ延び、前足においては後方へ延び、後足においては前方へ延びる。ライダーは、フットストラップの下方にスライドするためにはライダーの足を方向転換するだけでよく、解放するためにはライダーの足を戻すだけでよい。このシステムは、従来のフットストラップの中におよびこのようなフットストラップから外部へスライドすることを強いるという困難を伴うことなしに、ひいては、緩慢な解放動作により生じる危険無しに、容易に使用できるように設計されている。
【００２５】
しかし、高度なライダーは、ジャンプなどの操縦を行う場合においては、足をより特別安全にするために、セールボードにより使用されるタイプの従来のフットストラップを使用することを好むこともある。
【００２６】
本発明のスケートボードは、ハンドルバーの取外し可能なセットを備えることも可能である。例えば、前輪の軸にまたはフォーク部材ピボット旋回点に近接して、迅速に取外し可能な取付け具を組込むことにより、スクータータイプハンドルバーを、スケートボードに取り付けられることが可能である。ハンドルバーが取り付けられると、スケートボードは、スクーターとして動作し、このようにして、ライダーは、現場に急行し、次いで、ハンドルバーを取外し、坂をスケートボードで下降し、次いで、再びハンドルバーを取り付けて、帰途につく。
【００２７】
本発明のスケートボードは、凧との組合せで使用されることも可能である。凧糸の端部に取付けられているハンドルを保持することにより、スケートボードは、風力を介して移動可能となり、これにより、ジャイブおよびタッキング操縦が達成されることが可能となる。
【００２８】
さらに、本発明のスケートボードは、非ステアリングホイールを介して原動機により駆動されるのに良好に適する。小型石油原動機および電動機が、平らな表面上で前方へスケートボードを駆動するのに使用されることが可能であり、動力無しに転動して下降した後、スケートボードを駆動して戻すのに使用されることさえも可能である。電動機は、このために好適である、何故ならば電動機は、坂を下降して走行したら再充電され、次いで、スイッチオンされて、スケートボードを駆動して坂を上昇させて戻し、このようにして、バッテリーのドレーンの全量を最小化することが可能である。
【００２９】
本発明のスケートボードは、平らなアスファルト／ビチューメンから、公園、駐車場および起伏のある野外などの草および泥といった表面条件上で動作するようなことが好ましい。
【００３０】
本発明のスケートボードの前輪が、自動操縦であるように、本発明の別の１つの態様では、後輪も、方向転換の際の回転半径が短くなければならない場合、同様に旋回することも可能である。別の代替実施例として、前輪は、後輪が旋回する際に固定されていることも好ましい。
【００３１】
本発明は、例示的に、添付図面を参照して、以下に説明される。
【００３２】
【発明の説明】
添付図面の図１〜４において、フレーム１２、前輪１４および後輪１６を含む、本発明のスケートボード１０が示されている。車輪１４は、軸回転のために、軸１５に取付けられ、車輪１６は、軸回転のために軸１７上に取付けられている。さらに、以下に説明されるように、前輪１４は、横方向旋回運動が可能であるように取付けられ、後輪１６は、横方向に固定されている。
【００３３】
フレーム１２は、スケートボード１０の前部から後部へ延びる、互いに間隔を置いて配置され長手方向に延びる一対のフレーム部材１８を含む。各フレーム部材１８は、図２に示されているように、車輪１４に近接する、外側へ湾曲されている前部と、フレーム部材１８が内方へ湾曲して、互いに比較的接近している中間部分、および、フレーム部材が外側へ湾曲されている車輪１６に近接する後部を含む。図１に示されているように、フレーム部材１８は、車輪１４の中心点に近接する点で長手方向上方へ延びて湾曲し、次いで、フレーム１２の中心へ向かい下方に延びて湾曲し、次いで、上方へ湾曲して、車輪１６の軸１７に到達する。前輪１４に近接する広幅部分により、車輪１４は、相当角度にわたり旋回することが可能となる。後輪１６に近接する広幅部分により、デッキ２０の後部は、足を快適に収容するのに充分に幅広であることが可能となる。フレームの広幅部分が、フレームの中間領域に比して、比較的高い地上高を有することが分かる。
【００３４】
２部分形デッキ２０は、フレーム部材１８間に取付けられている。デッキ２０の前部は、平たい部材であり、平たい部材上には、Ｌ形足指押込式サポート２２が取付けられている。デッキ２０の後部は、足ストップを上方へ延ばした平たいプレートの形状を有する。
【００３５】
車輪１４は、タイヤ２６を備え、車輪１６は、タイヤ２８を備える。
【００３６】
図１に示されているように、フレーム部材１８は、軸１５を越えて前方へ延び、車輪１４に近接する軸１５の水準の下方に配置されている。図示のように、フレーム部材１８は、フォーク部材３０により、車輪１４に接続され、フォーク部材３０は、車輪１４の周りを延びて軸１５まで後方へ延びる。フォーク部材３０は、軸１５に固定接続され、ピボットにより、３２の個所で、フレーム部材１８の前端に旋回可能に接続されている。旋回接続点は、図１に示されているように、軸１５の水準の下方に位置し、軸１７の水準の下方に位置する。
【００３７】
図３に示されているように、軸１５からピボット３２の中心点まで走行する線３４は、地面に対して角度３６を成す。角度３６は、前述のフォーク部材角度である。さらに、線３８は、ピボット３２を、線３４と直角を成して通過し、地面と角度４０を成す。角度４０は、前述のピボットの円弧角である。
【００３８】
図４において、フォーク３０と、タイヤ２６を含む車輪１４とは、フレーム部材１８の間で、ピボット３２を介して前方および後方に自由に旋回することが可能である。回動アーム組立３０は、適切に形成されているサイドプレート１００を有し、サイドプレート１００は、フレーム部材１８に対するストップ部として動作し、車輪１４が、過度に遠くへ回動し、タイヤ２６をフレーム部材１８に接触させることを阻止する。
【００３９】
図５において、前輪１４および凸状曲線４２が示され、前輪１４は、凸状曲線４２に沿って移動する。
【００４０】
ピボット３２の中心は、ピボット円弧角４０が、仮に地面に対して９０度を成す場合、すなわち垂直の場合には軸高さに位置し、車輪自体は、仮想の大きい３次元ドーナッツ（トーラス）を描いて、水平方向に回動することになる。
【００４１】
これに対し本発明では、ピボット３２の中心が、ピボット円弧角４０が地面に対して、例えば４５度である場合のように、軸高さより下方に位置する場合、車輪自体は傾斜して、この例の場合４５度の傾斜で、仮想３次元ドーナッツを描いて回動する。仮想３次元ドーナッツの最高位置点は、フレーム１８の間の中間に位置する。従って、体重が下方でピボット３２に加えられる(すなわち、ライダーが、スケートボード上に立つ)場合、回動アームフォーク３０は、直ちにそれ自体を、仮想３次元ドーナッツの最高位置点(凸状曲線４２の頂点)にセンタリングする。
【００４２】
図６〜８において、本発明のスケートボード１０のためのブレーキ機構５０の１つの実施例が、明瞭に示されている。
【００４３】
図６に示されているように、ブレーキ機構５０は、Ｌ形部材５２を有し、Ｌ形部材５２は、通常、ばね６２により変位され、従って、上方へ延びる制動部材５４は、後輪１６のタイヤ２８の周縁に当接する。さらに、部材５２は、デッキ２０の後部の下方に配置されている略水平の下部部材５６を有する。下部部材５６は、上方へ延びる前部５８を有し、前部５８は、デッキ２０内の開口を貫通して突出し、略水平のボタン部分６０に接続されている。ライダーが、足を、デッキ２０の後部上に置いている場合、足は、ボタン部分６０を下方へ押し、ボタン部分６０は、部分５６および前部５８を下方へ旋回させる。これにより、制動部材５４は、図７および８に示されているように、車輪１６のタイヤ２８の周縁から係合解除する。
【００４４】
ライダーが、足を、デッキ２０の後部から除去すると、Ｌ形部材５２は、図６に示されている位置に戻り、従って、制動力が、車輪１６に加えられる。
【００４５】
図９〜１０において、回動アームフォーク部材３０をピボット３２に取付ける配置が示されている。図９に示されているように、フォーク部材３０は、上面プレート８０と、上面プレート８０に平行な底部プレート８２とを含むことも可能である。
【００４６】
図１０に示されているように、プレート８０および８２は、車輪１４の前の円弧８４に沿って延びる。
【００４７】
プレート８０および８２は双方とも、サイドプレート１００と、ボルト８６により相互接続されているフォーク組立とを介して固定接続され、ボルト８６は、プレート８０および８２内の、位置合せされた開口を通り抜け、ナット８８とねじ係合されて、ナット８８を適所に係止する。プレート８０と８２との間のボルト８６を、ベアリングハウジング９０が包囲し、ベアリングハウジング９０は、各フレーム部材１８の前部に固定接続され、上部ローラベアリング９２および下部ローラベアリング９４を収容する。フランジ付接続ブシュ９６は、ベアリング９２内にはまり、フランジ付接続ブシュ９８は、ベアリング９４内にはまる。ブシュ９６および９８は、ボルト８６およびプレート８０および８２と接触する。
【００４８】
図９および１０に示されている配置の場合、ボルト８６、プレート８０および８２およびブシュ９６および９８は、ベアリングハウジング９０およびフレームに対して軸回転することが可能である、何故ならばそれらは、ローラベアリング９２および９４により、自由回転することが可能であるであるからである。使用中、ボード１０は、ライダーにより乗られ、ライダーの前足を、前輪に最も近い位置でデッキ２０上に置き、後足を、後輪に最も近い位置でデッキ上に置き、おおよそは、後足サポート２４に当接させる。さらに、ボタン６０が、後足により押されて、ブレーキ機構５０を係合解除する。
【００４９】
スケートボード１０は、平坦な舗装した場所およびコンクリートを含む様々な表面上、または、例えば草の生えている表面などの起伏のある地面上で、特に下り坂で、乗られることが可能である。
【００５０】
フォーク部材３０が、軸１５の水準の下方でフレーム１８に接続されている配置により、前輪１４が、自動センタリングし、スケートボード１０が、直立で乗られ、ライダーがカーブを走行するようにするためにスケートボード１０を傾斜させる場合のみ、いずれかの側に傾斜する。このようにして、スケートボード１０の走行方向は、前輪１４の旋回運動を制御するためのハンドルバーのように別個のステアリング機構および装置を必要とせずに、ライダーの体重の移動により、自動的に制御される。
【００５１】
当業者に自明な変更および変形は、本発明の範囲内にあると見做される。例えば、二輪スケートボード実施例が好ましいが、スケートボードは、３つ以上の車輪を有することが可能である。例えば、後部に単一車輪の代りに、一対の車輪が、単一軸または複数の軸に取付けられることが可能である。
【図面の簡単な説明】
【図１】  本発明のスケートボードの側面図である。
【図２】  図１のスケートボードの平面図である。
【図３】  図１のスケートボードの前輪の拡大側面図である。
【図４】  図３の前輪の平面図である。
【図５】  図５は前輪が、前輪の方向転換領域にわたり回動する際の前輪の凸状円弧を示す、図１〜４のスケートボードの斜視図である。
【図６】  図６は動作条件下でのブレーキを示す、図１のスケートボードの後輪の拡大側面図である。
【図７】  図７は非動作条件下でのブレーキを示す、図６に類似の図である。
【図８】  図８は図７の後輪の平面図である。
【図９】  図９は本発明のスケートボードで使用されることが可能であるフォークピボットの一実施例の側面図である。
【図１０】  図１０は図９のフォークピボットの平面図である。
【図１】
0004118512.tif 000002
【図２】
0004118512.tif 000003
【図３】
0004118512.tif 000004
【図４】
0004118512.tif 000005
【図５】
0004118512.tif 000006
【図６】
0004118512.tif 000007
【図７】
0004118512.tif 000008
【図８】
0004118512.tif 000009
【図９】
0004118512.tif 000010
【図１０】
0004118512.tif 000011